(57)【要約】      （修正有）【課題】最適な方式のレジューム再生を実行することができる記録媒体再生装置を提供する。【解決手段】記録媒体再生装置１００は、ＢＤ−ＲＯＭ１０から、コンテンツ及びＢＤ−Ｊアプリケーションを読み取るピックアップ１１と、ＢＤ−Ｊアプリケーションを実行してレジューム再生を実行可能なＢＤ−Ｊアプリケーション実行部１５１と、ＢＤ−Ｊアプリケーションを起動せずに簡易レジューム再生を実行可能な簡易再生部１５２と、ＢＤ−Ｊアプリケーションがレジューム再生の機能を有するか否かを判断する再生制御部１５５とを備え、再生制御部１５５は、ＢＤ−Ｊアプリケーションがレジューム再生の機能を有すると判断した場合に、ＢＤ−Ｊアプリケーション実行部１５１にレジューム再生を実行させ、ＢＤ−Ｊアプリケーションがレジューム再生の機能を有しないと判断した場合に、簡易再生部１５２に簡易レジューム再生を実行させる。【選択図】図１
2012181892.tif 000002
【特許請求の範囲】
【請求項１】
コンテンツ及び前記コンテンツを再生するための再生アプリケーションを記憶した記録媒体から、前記コンテンツ及び前記再生アプリケーションを読み取る読取部と、
前記読取部で読み取られた前記再生アプリケーションを実行して前記コンテンツをレジューム再生させるコンテンツレジューム再生を実行可能な再生部と、
前記再生アプリケーションが前記コンテンツレジューム再生の機能を有するか否かを判断する判断部と、
を備えたことを特徴とする記録媒体再生装置。
【請求項２】
前記判断部にて前記再生アプリケーションが前記コンテンツレジューム再生の機能を有すると判断された記憶媒体について、前記再生部に前記再生アプリケーションによる前記コンテンツレジューム再生を実行させる再生制御部をさらに備えたことを特徴とする請求項１に記載の記録媒体再生装置。
【請求項３】
前記再生部は、さらに、前記再生アプリケーションを起動せずに前記コンテンツをレジューム再生する簡易レジューム再生を実行可能であり、
前記再生制御部は、前記判断部にて前記再生アプリケーションが前記コンテンツレジューム再生の機能を有しないと判断された記憶媒体について、前記再生部に前記簡易レジューム再生を実行させる
ことを特徴とする請求項２に記載の記録媒体再生装置。
【請求項４】
ユーザの入力を受け付ける入力受付部をさらに備え、
前記再生制御部は、前記入力受付部が前記簡易レジューム再生を優先するためのユーザの入力を受け付けたときは、前記判断部にて前記再生アプリケーションが前記コンテンツレジューム再生の機能を有すると判断された記憶媒体についても、前記再生部に前記簡易レジューム再生を実行させる
ことを特徴とする請求項３に記載の記録媒体再生装置。
【請求項５】
前記判断部にて前記再生アプリケーションが前記コンテンツレジューム再生の機能を有しないと判断された記憶媒体について、レジューム再生をしない旨の通知を表示させる表示制御部をさらに備えたことを特徴とする請求項１又は２に記載の記録媒体再生装置。
【請求項６】
前記再生部は、さらに、前記再生アプリケーションを起動せずに前記コンテンツをレジューム再生する簡易レジューム再生を実行可能であり、
前記判断部にて前記再生アプリケーションが前記コンテンツレジューム再生の機能を有すると判断された場合に、前記コンテンツレジューム再生及び前記簡易レジューム再生を含むレジューム再生の方式の選択を前記ユーザから受け付け、前記判断部にて前記再生アプリケーションが前記コンテンツレジューム再生の機能を有しないと判断された場合に、前記コンテンツレジューム再生を除き前記簡易レジューム再生を含むレジューム再生の方式の選択を前記ユーザから受け付ける選択受付部と、
前記選択受付部にて受け付けたレジューム再生の方式に従って、前記再生部にレジューム再生を実行させる再生制御部と、
をさらに備えたことを特徴とする請求項１に記載の記録媒体再生装置。
【請求項７】
前記コンテンツレジューム再生を行うのに必要なレジューム情報を記録するための記憶部をさらに備え、
前記判断部は、前記再生アプリケーションによって前記記憶部に前記レジューム情報が書き込まれる場合に、前記再生アプリケーションが前記コンテンツレジューム再生の機能を有すると判断する
ことを特徴とする請求項１ないし請求項６のいずれか一項に記載の記録媒体再生装置。
【請求項８】
前記判断部は、時間の情報が前記記憶部に書き込まれる場合に、前記レジューム情報が前記記憶部に書き込まれるとみなして、前記再生アプリケーションが前記コンテンツレジューム再生の機能を有すると判断することを特徴とする請求項７に記載の記録媒体再生装置。
【請求項９】
前記判断部は、前記再生部が前記コンテンツの再生を中止する再生中止イベントが発生したときに、前記時間の情報が前記記憶部に書き込まれるか否かを判断することを特徴とする請求項８に記載の記録媒体再生装置。
【請求項１０】
前記判断部は、前記再生部が前記コンテンツの再生を中止する再生中止イベントの発生に関わらず、前記時間の情報が前記記憶部に書き込まれるか否かを判断することを特徴とする請求項８に記載の記録媒体再生装置。
【請求項１１】
前記記録媒体には、前記再生アプリケーションが前記コンテンツレジューム再生の機能を有するか否かを示すレジューム機能有無情報が記録されており、
前記読取部は、前記記録媒体から前記レジューム機能有無情報を読み取り、
前記判断部は、前記読取部にて読み取られた前記レジューム機能有無情報に基づいて、前記再生アプリケーションが前記コンテンツレジューム再生の機能を有するか否かを判断する
ことを特徴とする請求項１ないし請求項６のいずれか一項に記載の記録媒体再生装置。
【請求項１２】
前記再生アプリケーションは、前記コンテンツレジューム再生の機能の有無を通知する機能を有し、
前記判断部は、前記再生アプリケーションによって前記コンテンツレジューム再生の機能の有無の通知を受けて、該通知に基づいて前記再生アプリケーションが前記コンテンツレジューム再生の機能を有するか否かを判断する
ことを特徴とする請求項１ないし請求項６のいずれか一項に記載の記録媒体再生装置。
【請求項１３】
前記コンテンツレジューム再生を行うのに必要なレジューム情報を記録するための記憶部と、
前記再生制御部が前記再生部に前記簡易レジューム再生を実行させる場合に、前記記憶部に記憶された前記レジューム情報を消去するレジューム情報消去部と、
をさらに備えたことを特徴とする請求項１ないし請求項６のいずれか一項に記載の記録媒体再生装置。
【請求項１４】
前記コンテンツレジューム再生を行うのに必要なレジューム情報を、前記記録媒体を特定する情報とともに記録するための記憶部をさらに備えたことを特徴とする請求項１ないし請求項６のいずれか一項に記載の記録媒体再生装置。
【請求項１５】
前記コンテンツレジューム再生を行うのに必要なレジューム情報を記録するための記憶部と、
前記記録媒体が前記記録媒体再生装置から取り出されたときに、前記記録部に記録されている前記レジューム情報を消去するレジューム情報消去部と、
をさらに備えたことを特徴とする請求項１ないし請求項６のいずれか一項に記載の記録媒体再生装置。
【請求項１６】
コンテンツ及び前記コンテンツを再生するための再生アプリケーションを記憶した記録媒体から、前記コンテンツ及び前記再生アプリケーションを読み取る読取ステップと、
前記再生アプリケーションが、前記再生アプリケーションによって前記コンテンツをレジューム再生するコンテンツレジューム再生の機能を有するか否かを判断する判断ステップと、
を含むことを特徴とする記録媒体再生方法。
【請求項１７】
前記判断ステップにて前記再生アプリケーションが前記コンテンツレジューム再生の機能を有すると判断された記憶媒体について、前記読取ステップで読み取られた前記再生アプリケーションを起動して、前記コンテンツレジューム再生を実行するコンテンツレジューム再生ステップをさらに含むことを特徴とする請求項１６に記載の記録媒体再生方法。
【請求項１８】
前記判断ステップにて前記再生アプリケーションが前記コンテンツレジューム再生の機能を有しないと判断された記憶媒体について、前記再生アプリケーションを起動せずに前記コンテンツをレジューム再生する簡易レジューム再生を実行する簡易レジューム再生ステップをさらに含むことを特徴とする請求項１７に記載の記録媒体再生方法。
【請求項１９】
前記判断ステップにて前記再生アプリケーションが前記コンテンツレジューム再生の機能を有すると判断した場合に、前記コンテンツレジューム再生含むレジューム再生の方式の選択をユーザから受け付ける第１の選択受付ステップと、
前記判断ステップにて前記再生アプリケーションが前記コンテンツレジューム再生の機能を有しないと判断した場合に、前記コンテンツレジューム再生を除くレジューム再生の方式の選択をユーザから受け付ける第２の選択受付ステップと、
前記第１の選択受付ステップ又は前記第２の選択受付ステップにて受け付けたレジューム再生の方式に従って、レジューム再生を実行する再生制御ステップと、
をさらに含むことを特徴とする請求項１６に記載の記録媒体再生方法。
【請求項２０】
コンピュータに、請求項１６ないし請求項１９のいずれか一項に記載の記録媒体再生方法を実行させるためのコンピュータプログラム。
【発明の詳細な説明】
【技術分野】
【０００１】
本発明は、ＢＤ−ＲＯＭなどの記録媒体に記録されたデータを再生する記録媒体再生装置、記録媒体再生方法、及びコンピュータプログラムに関し、特に、記録媒体のレジューム再生を行う記録媒体再生装置、記録媒体再生方法、及びコンピュータプログラムに関するものである。
【背景技術】
【０００２】
近年、高画質、高音質で高度なインタラクティブ機能を有する情報を記録した大容量の記録媒体を再生する記録媒体再生装置（以下単に「再生装置」という。）が広く普及している。
【０００３】
その中の代表的な再生装置が、ブルーレイディスク（ＢＤ：Ｂｌｕ−ｒａｙ  Ｄｉｓｃ、以下「ＢＤ」という。）の再生装置である。ＢＤは、単層で２５ＧＢ、２層で５０ＧＢの膨大なデータ容量を備えており、ハイビジョン画質の映画コンテンツを蓄積できる。このＢＤを用いた市販のパッケージソフトやレンタル用のパッケージソフトは、製造過程でデータが書き込まれ、追記や書き換えができない読み出し専用メディアであるＢＤ−ＲＯＭ（Ｂｌｕ−ｒａｙ−Ｒｅａｄ−Ｏｎｌｙ−Ｍｅｍｏｒｙ）として提供されている。
【０００４】
このＢＤ−ＲＯＭには、ＨＤＭＶモードとＢＤ−Ｊモードの二種類のフォーマットがある。ＨＤＭＶモードは、従来のＤＶＤ−ＲＯＭのフォーマットの映像及び音声のコーデック仕様を拡張したものであり、高精細な映像や高品質のオーディオを蓄積し、再生できる。なお、ＨＤＭＶモードのコンテンツ仕様は、ＤＶＤ−ＲＯＭと同様である。一方、ＢＤ−Ｊモードは、ＨＤＭＶモードに加えて、Ｊａｖａ（登録商標）アプリケーション（以下、「ＢＤ−Ｊアプリケーション」という。）によって、映像を重ね合わせるなどのビジュアル的な表現を追加することができる。
【０００５】
ここで、ＨＤＭＶモードでは、コンテンツを再生している途中で再生を中止し、その後に再び再生を開始すると、前に再生が中止された位置から再生を再開することが可能である。以下、このように再生をいったん中止した後にその続きから再生を再開することを「レジューム再生」という。
【０００６】
ＨＤＭＶモードでは、コンテンツの再生途中で再生を中止する際に、再生装置において、中止した際の再生箇所を不揮発性メモリに記憶しておき、再度の再生の際には、不揮発性メモリから再生箇所を読み出して当該箇所から再生を再開することで、上述のようなレジューム再生を実現する。
【０００７】
一方、ＢＤ−Ｊモードでは、上述のように、ＢＤ−Ｊアプリケーションによって再生が行われるため、上記のＨＤＭＶモードの場合と同様にしてレジューム再生をすることはできない。
【０００８】
そのため、一部のＢＤ−ＪモードのＢＤ−ＲＯＭでは、ＢＤ−Ｊアプリケーションがレジューム再生をするために必要な情報を再生装置に保存する。再生の際には、再生装置がＢＤ−Ｊアプリケーションを起動すると、ＢＤ−Ｊアプリケーションは再生装置に保存した情報を読み出して、レジューム再生を行う（例えば、特許文献１を参照）。以下、このようにＢＤ−Ｊアプリケーションによって行うレジューム再生を「コンテンツレジューム再生」という。
【０００９】
しかしながら、すべてのＢＤ−ＪモードのＢＤ−ＲＯＭのＢＤ−Ｊアプリケーションが必ず上述のコンテンツレジューム再生の機能を有しているわけではなく、一部のＢＤ−ＪモードのＢＤ−ＲＯＭのＢＤ−Ｊアプリケーションは、コンテンツレジューム再生の機能を有していない。
【００１０】
このため、ＢＤ−ＪモードのＢＤ−ＲＯＭのレジューム再生を可能とする再生装置として、再生を中止した際に、ＨＤＭＶモードと同様にして停止箇所を不揮発性メモリに記憶し、再度の再生の際には、ＢＤ−Ｊアプリケーションを起動せずに、ＨＤＭＶモードと同様にしてレジューム再生を行う再生装置も提案されている（例えば、特許文献２を参照）。以下、このようにＢＤ−ＪモードのＢＤ−ＲＯＭに対してもＢＤ−Ｊアプリケーションを起動せずにＨＤＭＶと同様にして行うレジューム再生を「簡易レジューム再生」という。
【先行技術文献】
【特許文献】
【００１１】
【特許文献１】特開２００９−１９３６４２号公報
【特許文献２】特開２０１０−３３６２８号公報
【発明の概要】
【発明が解決しようとする課題】
【００１２】
しかしながら、再生の際には通常通りＢＤ−Ｊアプリケーションを起動して、レジューム再生はＢＤ−Ｊアプリケーションに委ねる再生装置によると、ＢＤ−ＲＯＭのＢＤ−Ｊアプリケーションがコンテンツレジューム再生の機能を有していない場合には、レジューム再生ができなくなってしまう。
【００１３】
これに対して、簡易レジューム再生を行う再生装置では、ＢＤ−ＲＯＭのＢＤ−Ｊアプリケーションがコンテンツレジューム再生の機能を有しているか否かに関らず確実にレジューム再生をすることができるが、ＢＤ−Ｊアプリケーションがコンテンツレジューム再生の機能を有しており、ＢＤ−Ｊアプリケーションによって再生してもレジューム再生が可能であるＢＤ−ＲＯＭについても、ＢＤ−Ｊアプリケーションを起動せずにレジューム再生を行うことになる。その結果、ＢＤ−Ｊアプリケーションによって再生してもレジューム再生が可能であるＢＤ−ＲＯＭについて、ＢＤ−Ｊアプリケーションに備わっている映像を重ね合わせるなどの他の機能を使用できなくなってしまう。
【００１４】
なお、上述の問題は、コンテンツを記録した記録媒体にそのコンテンツを再生するための再生アプリケーションが記録されており、再生装置は再生アプリケーションを実行してコンテンツを再生でき、かつ、記録媒体のなかに、再生アプリケーションがコンテンツレジューム再生の機能を有している記録媒体と再生アプリケーションがコンテンツレジューム再生の機能を有していない記録媒体とが混在している状況において、同様に生じ得る。
【００１５】
本発明は、上記の問題点に鑑みてなされたものであり、記録媒体のなかに、再生アプリケーションがコンテンツレジューム再生の機能を有している記録媒体と再生アプリケーションがコンテンツレジューム再生の機能を有していない記録媒体とが混在している状況において、最適な方式のレジューム再生を実行することができる記録媒体再生装置、或いは、ユーザが最適な方式のレジューム再生を選択できる記録媒体再生装置を提供することを目的とする。
【課題を解決するための手段】
【００１６】
上記従来の課題を解決するために、本発明の記録媒体再生装置は、コンテンツ及び前記コンテンツを再生するための再生アプリケーションを記憶した記録媒体から、前記コンテンツ及び前記再生アプリケーションを読み取る読取部と、前記読取部で読み取られた前記再生アプリケーションを実行して前記コンテンツをレジューム再生させるコンテンツレジューム再生を実行可能な再生部と、前記再生アプリケーションが前記コンテンツレジューム再生の機能を有するか否かを判断する判断部とを備えた構成を有している。
【００１７】
この構成により、判断部が、再生アプリケーションがコンテンツレジューム再生の機能を有するか否かを判断するので、その判断の結果に基づいて、記録媒体再生装置は最適な方式のレジューム再生を実行することができ、或いは、ユーザは最適な方式のレジューム再生を選択して記録媒体再生装置に実行させることができる。
【００１８】
また、上記の記録媒体再生装置は、前記判断部にて前記再生アプリケーションが前記コンテンツレジューム再生の機能を有すると判断された記憶媒体について、前記再生部に前記再生アプリケーションによる前記コンテンツレジューム再生を実行させる再生制御部をさらに備えた構成を有していてよい。
【００１９】
この構成により、コンテンツレジューム再生の機能を有する記録媒体については、コンテンツレジューム再生を行なうことができる。
【００２０】
また、上記の記録媒体再生装置において、前記再生部は、さらに、前記再生アプリケーションを起動せずに前記コンテンツをレジューム再生する簡易レジューム再生を実行可能であってよく、前記再生制御部は、前記判断部にて前記再生アプリケーションが前記コンテンツレジューム再生の機能を有しないと判断された記憶媒体について、前記再生部に前記簡易レジューム再生を実行させてよい。
【００２１】
この構成により、コンテンツレジューム再生の機能を有する記録媒体については、コンテンツレジューム再生を行なうことができるとともに、コンテンツレジューム再生の機能を有しない記録媒体については、簡易レジューム再生を行なうことができるので、ユーザは、記録媒体がコンテンツレジューム再生の機能を有しているか否かを意識することなく、途中で再生を中止して、再開時には停止箇所からレジューム再生をでき、このときに、記録媒体がコンテンツレジューム再生の機能を有していれば、再生アプリケーションによる再生が可能になり、再生アプリケーションの機能を犠牲にすることがない。
【００２２】
また、上記の記録媒体再生装置は、ユーザの入力を受け付ける入力受付部をさらに備えていてよく、前記再生制御部は、前記入力受付部が前記簡易レジューム再生を優先するためのユーザの入力を受け付けたときは、前記判断部にて前記再生アプリケーションが前記コンテンツレジューム再生の機能を有すると判断された記憶媒体についても、前記再生部に前記簡易レジューム再生を実行させてよい。
【００２３】
この構成により、再生アプリケーションの機能を利用する必要がないとユーザが判断する場合には、再生アプリケーションがコンテンツレジューム再生の機能を有していたとしも、簡易レジューム再生を行なうことができる。簡易レジューム再生の場合には、再生アプリケーションを起動する必要がないので、速やかにレジューム再生を行なうことができる。
【００２４】
また、上記の記録媒体再生装置は、前記判断部にて前記再生アプリケーションが前記コンテンツレジューム再生の機能を有しないと判断された記憶媒体について、レジューム再生をしない旨の通知を表示させる表示制御部をさらに備えた構成を有していてよい。
【００２５】
この構成により、ユーザは、レジューム再生ができないことを知ることができ、このとき、記録媒体再生装置に簡易レジューム再生の機能があれば、簡易レジューム再生を行なうことができ、簡易レジューム再生の機能がない場合には、レジューム再生を行なわずに通常通り先頭から再生をすることができる。
【００２６】
また、上記の記録媒体再生装置において、前記再生部は、さらに、前記再生アプリケーションを起動せずに前記コンテンツをレジューム再生する簡易レジューム再生を実行可能であってよく、前記判断部にて前記再生アプリケーションが前記コンテンツレジューム再生の機能を有すると判断された場合に、前記コンテンツレジューム再生及び前記簡易レジューム再生を含むレジューム再生の方式の選択を前記ユーザから受け付け、前記判断部にて前記再生アプリケーションが前記コンテンツレジューム再生の機能を有しないと判断された場合に、前記コンテンツレジューム再生を除き前記簡易レジューム再生を含むレジューム再生の方式の選択を前記ユーザから受け付ける選択受付部と、前記選択受付部にて受け付けたレジューム再生の方式に従って、前記再生部にレジューム再生を実行させる再生制御部とをさらに備えた構成を有していてよい。
【００２７】
この構成により、コンテンツレジューム再生の機能を有する記録媒体については、コンテンツレジューム再生を行なうことができるとともに、コンテンツレジューム再生の機能を有しない記録媒体については、ユーザの選択により簡易レジューム再生を行なうことができるので、ユーザは、記録媒体がコンテンツレジューム再生の機能を有しているか否かを意識することなく、再生途中で再生を中止して、再開時には停止箇所からレジューム再生をでき、このときに、記録媒体がコンテンツレジューム再生の機能を有していれば、再生アプリケーションによる再生が可能になり、再生アプリケーションの機能を犠牲にすることがない。また、再生アプリケーションがコンテンツレジューム再生の機能を有している場合にも、再生アプリケーションの他の機能を利用する必要がない場合には、簡易レジューム再生を選択することで、再生アプリケーションを起動することなく停止箇所からの再生を速やかに再開できる。
【００２８】
また、上記の記録媒体再生装置は、前記コンテンツレジューム再生を行うのに必要なレジューム情報を記録するための記憶部をさらに備えていてよく、前記判断部は、前記再生アプリケーションによって前記記憶部に前記レジューム情報が書き込まれる場合に、前記再生アプリケーションが前記コンテンツレジューム再生の機能を有すると判断してよい。
【００２９】
この構成により、記録媒体再生装置が再生アプリケーションの内容を解析することにより再生アプリケーションがコンテンツレジュームの機能を有しているか否かを判断する必要はなく、記録媒体再生装置は、単にレジューム情報が記憶部に書き込まれるか否かを監視していれば再生アプリケーションがコンテンツレジュームの機能を有しているか否かを判断できる。
【００３０】
また、上記の記録媒体再生装置において、前記判断部は、時間の情報が前記記憶部に書き込まれる場合に、前記レジューム情報が前記記憶部に書き込まれるとみなして、前記再生アプリケーションが前記コンテンツレジューム再生の機能を有すると判断してよい。
【００３１】
レジューム再生をするためには、必ずレジューム情報として時間の情報が記憶部に書き込まれることになる。従って、時間の情報が記憶部に書き込まれるか否かを監視することで、再生アプリケーションの内容を解析することなく、再生アプリケーションがコンテンツレジュームの機能を有しているか否かを判断できる。
【００３２】
また、上記の記録媒体再生装置において、前記判断部は、前記再生部が前記コンテンツの再生を中止する再生中止イベントが発生したときに、前記時間の情報が前記記憶部に書き込まれるか否かを判断してよい。
【００３３】
この構成により、再生中止イベントが発生したタイミングで時間の情報の書き込みの有無を判断するので、レジューム情報として書き込んだのではない時間の情報をレジューム情報であると誤認識する可能性を低くできる。
【００３４】
また、上記の記録媒体再生装置において、前記判断部は、前記再生部が前記コンテンツの再生を中止する再生中止イベントの発生に関わらず、前記時間の情報が前記記憶部に書き込まれるか否かを判断してよい。
【００３５】
この構成により、時間の情報が書き込まれたときには、そのタイミングに関らずに、再生アプリケーションがコンテンツレジューム再生の機能を有すると判断するので、時間の情報の書き込みを取り逃すことで再生アプリケーションがコンテンツレジューム再生の機能を有することを判断できなくなるという可能性を低くできる。
【００３６】
また、上記の記録媒体再生装置において、前記記録媒体には、前記再生アプリケーションが前記コンテンツレジューム再生の機能を有するか否かを示すレジューム機能有無情報が記録されていてよく、前記読取部は、前記記録媒体から前記レジューム機能有無情報を読み取り、前記判断部は、前記読取部にて読み取られた前記レジューム機能有無情報に基づいて、前記再生アプリケーションが前記コンテンツレジューム再生の機能を有するか否かを判断してよい。
【００３７】
この構成により、記録媒体再生装置は、記録媒体に記録されたレジューム機能有無情報を参照するという簡単な処理で、再生アプリケーションがコンテンツレジューム再生の機能を有するか否かを判断できる。
【００３８】
また、上記の記録媒体再生装置において、前記再生アプリケーションは、前記コンテンツレジューム再生の機能の有無を通知する機能を有し、前記判断部は、前記再生アプリケーションによって前記コンテンツレジューム再生の機能の有無の通知を受けて、該通知に基づいて前記再生アプリケーションが前記コンテンツレジューム再生の機能を有するか否かを判断してよい。
【００３９】
この構成により、記録媒体再生装置は、再生アプリケーションからの通知を受けてそれを参照するという簡単な処理で、再生アプリケーションがコンテンツレジューム再生の機能を有するか否かを判断できる。
【００４０】
また、上記の記録媒体再生装置は、前記コンテンツレジューム再生を行うのに必要なレジューム情報を記録するための記憶部と、前記再生制御部が前記再生部に前記簡易レジューム再生を実行させる場合に、前記記憶部に記憶された前記レジューム情報を消去するレジューム情報消去部とをさらに備えた構成を有していてよい。
【００４１】
簡易レジューム再生は、本来ならば再生アプリケーションによってコンテンツを再生するところ、その再生アプリケーションを起動せずにＨＤＭＶモードと同様にして行なう再生である。よって、簡易レジューム再生を行なってコンテンツの再生がすべて終了すると、記録媒体再生装置は、通常の動作に戻って、再生アプリケーションを起動することになる。このときに、記憶部にレジューム情報が消去されずに残っていると、再生アプリケーションがそのレジューム情報に従ってコンテンツレジューム再生を行なうことになる。よって、簡易レジューム再生を実行する場合には再生アプリケーションによって書き込まれたレジューム情報を消去することで、上述のような重複したレジューム再生を防止することができる。
【００４２】
また、上記の記録媒体再生装置は、前記コンテンツレジューム再生を行うのに必要なレジューム情報を、前記記録媒体を特定する情報とともに記録するための記憶部をさらに備えた構成を有していてよい。
【００４３】
この構成により、第１の記録媒体についてコンテンツの再生が中止されてからその第１の記憶媒体がいったん記録媒体再生装置から取り出され、記録媒体再生装置が別の第２の記録媒体の再生を行なったとしても、再び第１の記録媒体を再生する際には、レジューム再生を行なうことができる。
【００４４】
また、上記の記録媒体再生装置は、前記コンテンツレジューム再生を行うのに必要なレジューム情報を記録するための記憶部と、前記記録媒体が前記記録媒体再生装置から取り出されたときに、前記記録部に記録されている前記レジューム情報を消去するレジューム情報消去部とをさらに備えた構成を有していてよい。
【００４５】
この構成により、記憶部に記録されたレジューム情報は、常に記録媒体再生装置に装填されている記録媒体のレジューム情報となり、レジューム情報に対して記録媒体を特定する情報を付加する必要がなくなる。
【００４６】
本発明の別の態様は、記録媒体再生方法であって、この記録媒体再生方法は、コンテンツ及び前記コンテンツを再生するための再生アプリケーションを記憶した記録媒体から、前記コンテンツ及び前記再生アプリケーションを読み取る読取ステップと、前記再生アプリケーションが、前記再生アプリケーションによって前記コンテンツをレジューム再生するコンテンツレジューム再生の機能を有するか否かを判断する判断ステップとを含んでいる。
【００４７】
この構成によっても、判断ステップにて、再生アプリケーションがコンテンツレジューム再生の機能を有するか否かを判断するので、その判断の結果に基づいて、最適な方式のレジューム再生を実行することができ、或いは、ユーザが最適な方式のレジューム再生を選択することができる。
【００４８】
また、上記の記録媒体再生方法は、前記判断ステップにて前記再生アプリケーションが前記コンテンツレジューム再生の機能を有すると判断された記憶媒体について、前記読取ステップで読み取られた前記再生アプリケーションを起動して、前記コンテンツレジューム再生を実行するコンテンツレジューム再生ステップをさらに含んでいてよい。
【００４９】
この構成により、コンテンツレジューム再生の機能を有する記録媒体については、コンテンツレジューム再生を行なうことができる。
【００５０】
また、上記の記録媒体再生方法は、前記判断ステップにて前記再生アプリケーションが前記コンテンツレジューム再生の機能を有しないと判断された記憶媒体について、前記再生アプリケーションを起動せずに前記コンテンツをレジューム再生する簡易レジューム再生を実行する簡易レジューム再生ステップをさらに含んでいてよい。
【００５１】
この構成により、コンテンツレジューム再生の機能を有する記録媒体については、コンテンツレジューム再生を行なうことができるとともに、コンテンツレジューム再生の機能を有しない記録媒体については、簡易レジューム再生を行なうことができるので、ユーザは、記録媒体がコンテンツレジューム再生の機能を有しているか否かを意識することなく、途中で再生を中止して、再開時には停止箇所からレジューム再生をでき、このときに、記録媒体がコンテンツレジューム再生の機能を有していれば、再生アプリケーションによる再生が可能になり、再生アプリケーションの機能を犠牲にすることがない。
【００５２】
上記の記録媒体再生方法は、前記判断ステップにて前記再生アプリケーションが前記コンテンツレジューム再生の機能を有すると判断した場合に、前記コンテンツレジューム再生含むレジューム再生の方式の選択をユーザから受け付ける第１の選択受付ステップと、前記判断ステップにて前記再生アプリケーションが前記コンテンツレジューム再生の機能を有しないと判断した場合に、前記コンテンツレジューム再生を除くレジューム再生の方式の選択をユーザから受け付ける第２の選択受付ステップと、前記第１の選択受付ステップ又は前記第２の選択受付ステップにて受け付けたレジューム再生の方式に従って、レジューム再生を実行する再生制御ステップとをさらに含んでいてよい。
【００５３】
この構成によっても、コンテンツレジューム再生の機能を有する記録媒体については、コンテンツレジューム再生を行なうことができるとともに、コンテンツレジューム再生の機能を有しない記録媒体については、簡易レジューム再生を行なうことができるので、ユーザは、記録媒体がコンテンツレジューム再生の機能を有しているか否かを意識することなく、再生途中で再生を中止して、再開時には停止箇所からレジューム再生をでき、このときに、記録媒体がコンテンツレジューム再生の機能を有していれば、再生アプリケーションによる再生が可能になり、再生アプリケーションの機能を犠牲にすることがない。
【００５４】
本発明の別の態様は、コンピュータプログラムであって、このコンピュータプログラムは、コンピュータに上記のいずれかの記録媒体再生方法を実行させる。
【発明の効果】
【００５５】
本発明によれば、再生アプリケーションがコンテンツレジューム再生の機能を有するか否かを判断するので、その判断の結果に基づいて、記録媒体再生装置は最適な方式のレジューム再生を実行することができ、或いは、ユーザは最適な方式のレジューム再生を選択して記録媒体再生装置に実行させることができる。
【図面の簡単な説明】
【００５６】
【図１】本発明の実施の形態における光ディスク再生装置の構成を示すブロック図
【図２】本発明の実施の形態における光ディスク再生装置を含むＡＶシステムの構成を示す図
【図３】本発明の実施の形態におけるＢＤ−ＲＯＭの構成を示す図
【図４】本発明の実施の形態におけるｉｎｄｅｘ．ｂｄｍｖファイルとタイトルの関係を示す図
【図５】本発明の実施の形態における再生中止イベント発生時の信号処理部の動作を示すフロー図
【図６】本発明の実施の形態における応用例１の再生再開時の信号処理部の動作を示すフロー図
【図７】本発明の実施の形態における応用例２の再生再開時の信号処理部の動作を示すフロー図
【図８】本発明の実施の形態における応用例２の変形例の再生再開時の信号処理部の動作を示すフロー図
【図９】本発明の実施の形態における応用例３の再生再開時の信号処理部の動作を示すフロー図
【図１０】本発明の実施の形態におけるコンテンツレジューム再生が選択可能な選択画面の表示例を示す図
【図１１】本発明の実施の形態におけるコンテンツレジューム再生が選択不可能な選択画面の表示例を示す図
【図１２】本発明の実施の形態における応用例３の変形例の再生再開時の信号処理部の動作を示すフロー図
【発明を実施するための形態】
【００５７】
以下、本発明を実施するための形態について、図面を参照しながら説明する。以下では、記録媒体が光ディスクであり、具体的には映画作品又は音楽ライブ映像などのＡＶ（Ａｕｄｉｏ−Ｖｉｓｕａｌ）コンテンツのデータが記録されたＢＤ−ＲＯＭであり、記録媒体再生装置がＢＤ−ＲＯＭを再生可能な光ディスク再生装置である場合を例にして説明する。
【００５８】
図１は、本実施の形態の再生装置の構成を示すブロック図であり、図２は、本実施の形態の光ディスク再生装置を含むＡＶシステムの構成を示す図である。まず、図２を参照して、本実施の形態の光ディスク再生装置を含むＡＶシステムの構成を説明する。ＡＶシステム１は、光ディスク再生装置（以下単に「再生装置」という。）１００のほか、ＢＤ−ＲＯＭ１０、リムーバブルメディア４２、モニタ４３、ＷＷＷサーバ４４、及びリモコン４５を含んで構成される。
【００５９】
モニタ４３は、再生装置１００に接続されて、再生映像を出力する装置である。モニタ４３は、ディスプレイ及びスピーカを含んでおり、映像及び音声を出力する。また、モニタ４３は、ユーザに対してポップアップメニュー及びユーザインターフェースなどの操作メニューも表示する。
【００６０】
リモコン４５は、ユーザが再生装置１００を遠隔的に操作するための装置である。ユーザがリモコン４５に対して各種の操作入力を行うと、リモコン４５は、赤外線を用いて入力信号を再生装置１００に送信する。よって、ユーザは、リモコン４５を使って視覚的にディスク再生装置１００を操作することができる。なお、モニタ４３の表示画面上にタッチパネル４６を取り付けて、ユーザが操作できるようにしてもよい。
【００６１】
再生装置１００は、ＢＤ−ＲＯＭ１０を読み取って、そこに記録されたコンテンツを再生することができる。再生装置１０はさらにリムーバブルメディア４２に記録されたデータを読み取ることにより、そこに記録されたコンテンツを再生することもできる。ユーザは、リモコン４５や再生装置１００上のボタンを操作することで、ＢＤ−ＲＯＭ１０やリムーバブルメディア４２に記録されたコンテンツの再生などすることができる。  
【００６２】
また、再生装置１００は、インターネットを介してＷＷＷサーバ４４に接続されており、ＷＷＷサーバ４４から各種のデータをダウンロードできる。
【００６３】
図１は、本実施の形態の再生装置１００の構成を示すブロック図である。図１には、ＢＤ−ＲＯＭも合せて示されている。以下、図１を参照して、光ディスク再生装置１００の構成及びＢＤ−ＲＯＭ１０について説明する。
【００６４】
再生装置１００は、ピックアップ１１、サーボ１２、ローカルストレージ１３、ネットワークインターフェース１４、及び信号処理部１５を備えている。
【００６５】
ピックアップ１１は、所望のデータをＢＤ−ＲＯＭ１０からデータを取得して、そのデータを信号処理部１５に出力する。サーボ１２は、ピックアップ１１を制御する。サーボ１２は、ピックアップ１１を記録媒体の半径方向へ移動（シーク）させるとともに、記録媒体の軸方向への移動（フォーカス）を調整する。ピックアップ１１は、本発明の読取部に相当する。
【００６６】
ローカルストレージ１３は、後述するコンテンツレジューム再生に必要な情報（以下、「レジューム情報」という。）を記憶するための不揮発性のメモリである。ローカルストレージ１３に対しては、信号処理部１５によって情報の書込み、読出し、消去が行なわれる。ローカルストレージ１３は、本発明の記憶部に相当する。ネットワークインターフェース１４は、ネットワーク上のＷＷＷサーバ４４等からデータをダウンロードする。
【００６７】
信号処理部１５は、ピックアップ１１から出力されたデータ、ローカルストレージ１３に保存されているデータ、ネットワークインターフェース１４にてＷＷＷサーバ４４からダウンロードされたデータを処理する。信号処理部１５は、これらのデータを処理して、モニタ４３に出力することで、ＢＤ−ＲＯＭ１０に記録されたＡＶコンテンツなどを再生する。信号処理部１５は、演算処理装置が所定のコンピュータプログラムを実行することで実現される。
【００６８】
また、信号処理部１５は、リモコン４５からユーザの操作入力を受け付けて、その操作が受付可能かどうかを判断し、受付可能な場合はその操作入力に対応する処理を行う。信号処理部１５はさらに、再生装置１００に最初から組み込まれているユーザインターフェースをモニタ４３に表示する機能も有する。
【００６９】
信号処理部１５は、ＢＤ−Ｊアプリケーション実行部１５１、簡易再生部１５２、データ処理部１５３、処理判断部１５４、再生制御部１５５、表示制御部１５６、及びユーザ操作受付部１５７を備えている。
【００７０】
ＢＤ−Ｊアプリケーション実行部１５１は、ＢＤ−ＲＯＭ１０に記録されておりピックアップ１１によって読み取られたＢＤ−Ｊアプリケーションを実行する。ＢＤ−Ｊアプリケーションにコンテンツレジューム再生の機能がある場合には、ＢＤ−Ｊアプリケーション実行部１５１は、その機能に従ってコンテンツレジューム再生を行なう。
【００７１】
簡易再生部１５２は、ＢＤ−Ｊアプリケーションを実行しないで、ピックアップ１１によって読み取られたＢＤ−ＲＯＭ１０のコンテンツを再生する。簡易再生部１５２は、レジューム再生を行なう場合には、簡易レジューム再生を行なう。簡易レジューム再生では、簡易再生部１５２は、ＢＤ−Ｊアプリケーションによらずに、ローカルストレージ１３に記録されている停止箇所の記録に基づいて、当該停止箇所から再生を再開する。
【００７２】
ＢＤ−Ｊアプリケーション実行部１５１及び簡易再生部１５２は、モニタ４３に接続されており、モニタ４３にコンテンツの出力を行なわせる。なお、ＢＤ−Ｊアプリケーション実行部１５１及び簡易再生部１５２は、本発明の再生部に相当する。
【００７３】
データ処理部１５３は、ローカルストレージ１３に対して、データの書込み、読出し、消去を行なう。ＢＤ−Ｊアプリケーション実行部１５１にてＢＤ−Ｊアプリケーションが実行されているときは、データ処理部１５３は、そのＢＤ−Ｊアプリケーションに従って、必要なデータをローカルストレージ１３に対して書き込み、読み出し、又は消去する。データ処理部１５３は、また、再生制御部１５５による制御に基づいて、ローカルストレージ１３に対するデータの書込み、読出し、消去を行う。
【００７４】
処理判断部１５４は、データ処理部１５３の処理内容を判断する。具体的には、処理判断部１５４は、データ処理部１５３がローカルストレージ１３に対してデータを書込み、又は読出しを行うときのデータの内容を識別する。処理判断部１５４は、特に、ＢＤ−Ｊアプリケーションが実行されているときに、データ処理部１５３によって、ローカルストレージ１３に対して時間の情報が書き込まれたか否かを判断する。
【００７５】
再生制御部１５５は、ＢＤ−Ｊアプリケーション実行部１５１によってＢＤ−Ｊアプリケーションを起動させてコンテンツの再生を行なうか、簡易再生部１５２にＢＤ−Ｊ合う理ケーションを起動せずにコンテンツの再生を行なわせるかを判断して、その判断に従って、ＢＤ−Ｊアプリケーション実行部１５１又は簡易再生部１５２を制御する。また、再生制御部１５５は、データ処理部１５３を制御して、データ処理部１５３に、ローカルストレージ１３に対してデータの書込み、読出し、消去を行なわせる。
【００７６】
表示制御部１５６は、モニタ４３に接続されており、再生制御部１５５の制御に基づいて、モニタ４３にユーザインターフェース等の所定の表示を行なわせる。ユーザ操作受付部１５７は、リモコン４５からユーザの操作入力を受け付けて、その信号を再生制御部１５５に出力する。なお、ユーザ操作受付部１５７は、再生装置１００に設けられたボタンやタッチパネル４６よりユーザの操作入力を受けてもよく、再生装置１００に接続されている機器から操作入力を受けてもよい。再生制御部１５５は、ユーザ操作受付部１５７にて受け付けたユーザ操作の入力に基づいて制御を行う。ユーザ操作部１５７は、本発明の入力受付部及び選択受付部に相当する。
【００７７】
次に、ＢＤ−ＲＯＭ１０について説明する。図３は、ＢＤ−ＲＯＭ１０の構成を示す図である。上述のように、ＢＤ−ＲＯＭ１０には、映画作品又は音楽ライブ映像などのＡＶ（Ａｕｄｉｏ−Ｖｉｓｕａｌ）コンテンツのデータが記録されている。
【００７８】
ＢＤ−ＲＯＭ１０は、他の光ディスク、例えばＤＶＤ（Ｄｅｇｉｔａｌ  Ｖｅｒｓａｔｉｌｅ  Ｄｉｓｃ）やＣＤ（Ｃｏｍｐａｃｔ  Ｄｉｓｃ）などと同様に、その内周から外周に向けて螺旋状に記録領域を持ち、内周のリード・インと外周のリード・アウトの間に論理データを記録できる論理アドレス空間を有している。また、リード・インの内側にはＢＣＡ（Ｂｕｒｓｔ  Ｃｕｔｔｉｎｇ  Ａｒｅａ）と呼ばれる、ドライブでしか読み出せない特別な領域がある。この領域はアプリケーションからは読み出せないため、例えば著作権保護技術などに利用されている。
【００７９】
論理アドレス空間は、ファイルシステム情報（ボリューム）を先頭に、映像データなどのアプリケーションデータが記録されている。ファイルシステムとは、ＵＤＦやＩＳＯ９６６０などのことであり、通常のＰＣと同じように記録されている論理データをディレクトリ、ファイル構造を使って読み出すことが可能になっており、２５５文字のファイル名、ディレクトリ名を読み出すことが可能である。
【００８０】
ＢＤ−ＲＯＭ１０のディスク上のディレクトリ及びファイル構成は、次のようになっている。ルートディレクトリ（ＲＯＯＴ）直下には、ＢＤＭＶディレクトリとｂｄ．ｃｅｒｔファイルが置かれている。ＢＤＭＶディレクトリは、ＢＤ−ＲＯＭ１０で扱うＡＶコンテンツや管理情報などのデータが記録されているディレクトリである。ｂｄ．ｃｅｒｔ（ファイル名固定）は、仮想パッケージのために追加されたコンテンツをＢＤ−ＲＯＭ１０上のデータとマージする際に、署名検証に用いられる証明書である。
【００８１】
ＢＤＭＶディレクトリの配下には、ＰＬＡＹＬＩＳＴディレクトリ、ＣＬＩＰＩＮＦディレクトリ、ＳＴＲＥＡＭディレクトリ、ＢＤＪＯディレクトリ、ＪＡＲディレクトリと呼ばれる５つのサブディレクトリが存在し、ＢＤＭＶディレクトリには、ｉｎｄｅｘ．ｂｄｍｖ、ＭｏｖｉｅＯｂｊｅｃｔ．ｂｄｍｖの２種類のファイルが配置されている。
【００８２】
ここで、さらに詳しくｉｎｄｅｘ．ｂｄｍｖ（ファイル名固定）について説明する。ｉｎｄｅｘ．ｂｄｍｖは、ＢＤ−ＲＯＭ１０全体に関する管理情報であり、映画作品のプロバイダを特定する識別子であるｏｒｇａｎｉｚａｔｉｏｎＩＤ（３２ｂｉｔ）や、プロバイダが提供するＢＤ−ＲＯＭ１０のそれぞれに割り当てられた識別子であるｄｉｓｃＩＤ（１２８ｂｉｔ）等の情報を持ち、再生装置１００のへのディスク挿入後に、ｉｎｄｅｘ．ｂｄｍｖが最初に読み出されることで、再生装置１００においてディスクが一意に認識される。加えて、ｉｎｄｅｘ．ｂｄｍｖにはＢＤ−ＲＯＭ１０において再生可能となる複数のタイトルと、個々のタイトルを規定するＢＤ−Ｊオブジェクトとを対応付けて示すテーブルが含まれる。
【００８３】
次に、拡張子“ｂｄｊｏ”が付与されたファイルについて説明する。拡張子“ｂｄｊｏ”が付与されたファイルは、ＢＤ−Ｊオブジェクトを格納したファイルである。ＢＤ−Ｊオブジェクトは、ＰｌａｙＬｉｓｔ情報により示されるＡＶストリームと、アプリケーションとの関連付けにより、タイトルを定義する情報である。ＢＤ−Ｊオブジェクトは、アプリケーション管理テーブル（ＡＭＴ）と、そのタイトルにおいて再生可能なＰｌａｙＬｉｓｔ一覧を示す。
【００８４】
アプリケーション管理テーブルとは、アプリケーションシグナリングを実現するテーブルである。アプリケーションシグナリングとは、ＢＤ−ＲＯＭ１０におけるタイトルをアプリケーションの生存区間として管理し、アプリケーションの起動及び終了を司る制御をいう。ここで生存区間とは、ＢＤ−ＲＯＭ１０に記録されたコンテンツ全体の時間軸において、仮想マシンのヒープメモリ上でアプリケーションが生存し得る区間を示す。「生存」とは、そのアプリケーションが、ヒープメモリに読み出され、仮想マシンによる実行が可能になっている状態をいう。
【００８５】
アプリケーション管理テーブルは、アプリケーションの識別子（アプリケーションＩＤ）とそのアプリケーションに属するＪａｖａ（登録商標）アーカイブファイルのＩＤを羅列することでこのタイトルを生存区間とするアプリケーションを示す。つまり、一つのアプリケーションは一つ以上のＪａｖａ（登録商標）アーカイブファイルで構成される。
【００８６】
このようにＢＤ−Ｊオブジェクト内のアプリケーション管理テーブルによって、セクタが管理されるＪａｖａ（登録商標）アプリケーションを、「ＢＤ−Ｊアプリケーション」と呼ぶ。ＢＤ−Ｊアプリケーションは、本発明の再生アプリケーションに相当する。
【００８７】
図４は、ｉｎｄｅｘ．ｂｄｍｖファイルとタイトルの関係を示す図である。タイトルとは、アプリケーションとＡＶストリームを組にした再生単位であり、ｉｎｄｅｘ．ｂｄｍｖファイルにはディスク上のタイトル構成が記載されており、ディスク上の各タイトルと、対応するアプリケーション（ＢＤ−ＪモードタイトルであればＢＤ−Ｊアプリケーション、ＨＤＭＶモードタイトルであればシナリオプログラム）の参照関係を管理している。
【００８８】
また、特殊なタイトルとして「Ｆｉｒｓｔ Ｐｌａｙｂａｃｋ」と「ＴｏｐＭｅｎｕ」が存在する。「Ｆｉｒｓｔ Ｐｌａｙｂａｃｋ」は、ＢＤ起動時に最初に自動的に再生されるタイトルである。主に、ＢＤの利用規約表示などに用いられる。「ＴｏｐＭｅｎｕ」はリモコンのメニューキーを押したときやタイトル再生が終了したときに再生され、主にタイトルの選択や、字幕／音声の言語選択を行うことに用いられる。
【００８９】
次に、ＢＤ−ＲＯＭ１０のコンテンツを再生している途中で再生が中止されるときの処理について説明する。コンテンツを再生している途中で再生が中止される状況とは、再生中止イベントが発生する状況であり、再生中止イベントには、再生の停止が指示されること、再生中に電源ＯＦＦが指示されること、再生中にメニュータイトルへの移行が指示されること、再生中や一時停止中にＢＤ−ＲＯＭ１０が再生装置１００から取り出されること、一時停止の状態で所定の時間が経過したことにより再生装置１００がスリープ状態になること等が含まれる。
【００９０】
ＢＤ−Ｊアプリケーションがコンテンツレジューム再生の機能を有している場合には、再生中止イベントが発生すると、ＢＤ−Ｊアプリケーションは、データ処理部１５３に対してコンテンツレジューム情報をローカルストレージ１３に書き込むよう指示する。ここで、上述のように、再生装置１００では、ＢＤ−Ｊアプリケーションがコンテンツレジューム再生機能を有しているか否かは直接には把握できない。しかしながら、ＢＤ−Ｊアプリケーションがコンテンツレジューム再生を行う場合には、再生中止イベントが発生した際に再生していた位置を特定するための情報が必要になる。
【００９１】
タイトル番号の情報があれば、レジューム再生の際に、タイトルの先頭から再生できる。タイトル番号に追加してさらにチャプタ番号があれば、そのタイトルのチャプタの先頭等から再生することができるが、再生を中止する前とまったく同じ位置から再生することはできない。再生を中止する前とまったく同じ位置からレジューム再生をするためには、時間の情報が必要になると考えられる。換言すれば、時間の情報がなければ、レジューム再生はできない。
【００９２】
そこで、本実施の形態では、レジューム再生をするには必ず時間の情報が必要であることに着目し、ＢＤ−Ｊアプリケーションによって、データ処理部１５３に対して、ローカルストレージ１３に時間の情報を書き込むよう指示されたか否かを判断する。すなわち、データ処理部１５３がローカルストレージ１３に時間の情報を書き込む場合に、レジューム情報がローカルストレージ１３に書き込まれるとみなして、ＢＤ−Ｊアプリケーションがコンテンツレジューム再生の機能を有すると判断する。この判断は、処理判断部１５４がデータ処理部１５３の処理を監視することで行う。
【００９３】
図５は、再生中止イベント発生時の信号処理部１５の動作を示すフロー図である。再生中止イベントが発生すると（ステップＳ５１）、処理判断部１５４は、データ処理部１５３がローカルストレージ１３に書き込もうとしている書込み情報の中に時間の情報があるか否かを判断する（ステップＳ５２）。時間の情報があるときは（ステップＳ５２にてＹＥＳ）、処理判断部１５４は、データ処理部１５３に対して、ローカルストレージ１３にレジューム状態として、コンテンツレジューム再生機能があることを記録させる（ステップＳ５３）。
【００９４】
そして、データ処理部１５３は、ＢＤ−Ｊアプリケーションによって指示された書込み情報をローカルストレージ１３に書き込む（ステップＳ５４）。なお、処理判断部１５４が判断した結果、書込み情報に時間の情報がないと判断した場合には、データ処理部１５３は、そのままＢＤ−Ｊアプリケーションによって指示された書込み情報をローカルストレージ１３に書き込む（ステップＳ５４）。
【００９５】
なお、再生中止イベントが発生した場合には、再生制御部１５５もデータ処理部１５３に指示をして、簡易レジューム情報として、時間の情報、オーディオ番号の情報、字幕番号の情報等を書き込むよう指示する。データ処理部１５３は、ＢＤ−Ｊアプリケーションによる指示とは別に、再生制御部１５５の指示に従って、ＢＤ−Ｊアプリケーションによって時間の情報を書き込むアドレスとは別のアドレスに、再生中止イベントが発生した際の簡易レジューム情報を書き込む。
【００９６】
これは、上述のように、再生制御部１５５は、ＢＤ−Ｊアプリケーションがコンテンツレジューム再生の機能を有しているか否かを直接判断することはできないので、仮にＢＤ−Ｊアプリケーションがコンテンツレジューム再生の機能を有していない場合には、再生制御部１５５が指示をして書き込んだ簡易レジューム情報を用いて簡易レジューム再生をすることができるし、ＢＤ−Ｊアプリケーションがコンテンツレジューム再生の機能を有している場合にも、ユーザが簡易レジューム再生を望む場合には、簡易レジューム再生をできるようにするためである。
【００９７】
なお、再生制御部１５５は、処理判断部１５４が判断した結果、書込み情報に時間の情報がないと判断した場合にのみ、データ処理部１５３に指示をして簡易レジューム情報をローカルストレージ１３に書き込むよう指示してもよい。
【００９８】
また、再生制御部１５５は、再生中止イベントが発生した際に、ＢＤ−Ｊアプリケーションとは別にデータ処理部１５３に対して簡易レジューム情報を書き込ませる指示をしなくてもよい。この場合は、ＢＤ−Ｊアプリケーションがコンテンツレジューム再生の機能を有していれば、コンテンツレジューム再生が可能であるし、ＢＤ−Ｊアプリケーションがコンテンツレジューム再生の機能を有していなければ、再生を中止した位置でのレジューム再生を行わないことになる。なお、後者の場合にも、再生を中止した際に、ＢＤ−Ｊアプリケーションがそのときのタイトル又はチャプタの情報をローカルストレージ１３に保存していれば、当該タイトル又はチャプタからの再生の再開は可能となる。
【００９９】
なお、再生中止の状況が発生した際に、再生制御部１５５がＢＤ−Ｊアプリケーションとは別にデータ処理部１５３に対して簡易レジューム情報を書き込ませる指示をしない場合であって、かつ、図５のフローのステップＳ５２にて時間の情報が書き込まれていないと判断された場合には、再生中止イベントが発生した際に、再生制御部１５５は、表示制御部１５６を制御して、モニタ４３にレジューム再生を行わないことを通知する表示をさせて、ユーザに注意喚起してもよい。
【０１００】
このような注意喚起により、ユーザは、現在の再生位置を記憶しておくことで、再生を再開する場合には、自らその再生位置から再生を再開するように再生装置１００を操作することができる。さらに、注意喚起とともに、再生を中止するか否かを再度ユーザに問い合わせて、その問い合わせに対してユーザからさらに再生中止の操作入力を受けた場合に、再生を中止するようにしてもよい。
【０１０１】
また、上述のコンテンツレジューム情報及び簡易レジューム情報には、ＢＤ−ＲＯＭ１０を特定する情報を付加してもよい。ＢＤ−ＲＯＭ１０を特定する情報を付加することで、ＢＤ−ＲＯＭ１０が再生装置１００から取り出されて、再び再生装置１００に挿入された際にも、そのＢＤ−ＲＯＭ１０に対してレジューム再生を行うことができる。
【０１０２】
また、コンテンツレジューム情報及び簡易レジューム情報に、ＢＤ−ＲＯＭ１０を特定する情報を付加しなくてもよい。この場合には、ＢＤ−ＲＯＭ１０が再生装置１００から取り出される場合には、再生制御部１５５がデータ処理部１５３に指示をして、コンテンツレジューム情報及び簡易レジューム情報をローカルストレージ１３から消去させる。このとき、データ処理部１５３は、本発明のレジューム情報消去部として機能する。
【０１０３】
このように、コンテンツレジューム情報及び簡易レジューム情報にＢＤ−ＲＯＭ１０を特定する情報を付加しない場合において、ＢＤ−ＲＯＭ１０が再生装置１００から取り出されるときにコンテンツレジューム情報及び簡易レジューム情報をローカルストレージ１３から消去することで、新たに再生装置１００に装填されたＢＤ−ＲＯＭ１０に対して、他のＢＤ−ＲＯＭ１０のレジューム情報に従ってレジューム再生が行われることを防止できる。
【０１０４】
以上説明したように、本実施の形態の再生装置１００は、再生中止イベントが発生した際に、データ処理部１５３がＢＤ−Ｊアプリケーションの指示に従ってローカルストレージ１３に時間の情報を書き込むか否かによって、そのＢＤ−Ｊアプリケーションがコンテンツレジューム再生の機能を有するか否かを判断する。再生の際には、この判断結果を応用して、最適な再生が可能である。この判断結果には、複数の応用例がある。以下、順に説明する。
【０１０５】
（応用例１：コンテンツレジューム再生機能の有無を通知する例）
図６は、応用例１による再生再開時のフロー図である。応用例１は、再生中止イベントが発生した際に、再生制御部１５５がデータ処理部１５３に対して簡易レジューム情報を記録させないタイプの再生装置１００、すなわち、簡易レジューム再生の機能を有しない、又は簡易レジューム再生の機能が無効化されている再生装置１００における応用例である。この場合には、コンテンツレジューム再生ができなければ、レジューム再生ができないことになる。
【０１０６】
再生制御部１５５は、ＢＤ−ＲＯＭ１０が装填された状態でユーザ操作受付部１５７より再生の指示を受けると、ローカルストレージ１３を参照して、そのＢＤ−ＲＯＭ１０にコンテンツレジューム再生の機能があるか否かを判断する（ステップＳ６１）。コンテンツレジューム再生の機能があることを示す情報がない場合には（ステップＳ６１にてＮＯ）、再生制御部１５５は、表示制御部１５６を制御して、モニタ４３に、ディスクの先頭から再生を開始すること、又はレジューム再生をしないことを通知する表示をさせる（ステップＳ６２）。
【０１０７】
ローカルストレージ１３に、そのＢＤ−ＲＯＭ１０にコンテンツレジューム再生の機能があることを示す情報がある場合には（ステップＳ６１にてＹＥＳ）、再生制御部１５５は、ＢＤ−Ｊアプリケーション実行部１５１にＢＤ−Ｊアプリケーションを起動させ、ローカルストレージ１３に、そのＢＤ−ＲＯＭ１０にコンテンツレジューム再生の機能があることを示す情報がない場合には、上述のように表示をさせた上でＢＤ−Ｊアプリケーション実行部１５１にＢＤ−Ｊアプリケーションを起動させる（ステップＳ６３）。
【０１０８】
ステップＳ６３では、そのＢＤ−ＲＯＭ１０にコンテンツレジューム再生の機能がある場合には、ＢＤ−Ｊアプリケーションによってコンテンツレジューム再生が行われ、そのＢＤ−ＲＯＭ１０にコンテンツレジューム再生の機能がない場合には、ＢＤ−Ｊアプリケーションが実行されてもコンテンツレジューム再生が行われない。
【０１０９】
（応用例２：コンテンツレジューム再生機能がない場合に簡易レジューム再生行う例）
図７は、応用例２による再生再開時のフロー図である。応用例２は、再生中止の状況が発生した際に、再生制御部１５５がデータ処理部１５３に対して簡易レジューム情報を記録させるタイプの再生装置１００、すなわち、有効な簡易レジューム再生の機能を有する再生装置１００における応用例である。この場合には、コンテンツレジューム再生ができない場合にも、簡易レジューム再生をすることができる。
【０１１０】
再生制御部１５５は、ＢＤ−ＲＯＭ１０が装填された状態でユーザ操作受付部１５７より再生の指示を受けると、ローカルストレージ１３を参照して、そのＢＤ−ＲＯＭ１０にコンテンツレジューム再生の機能があるか否かを判断する（ステップＳ７１）。コンテンツレジューム再生の機能があることを示す情報がある場合には（ステップＳ７１にてＹＥＳ）、再生制御部１５５は、ＢＤ−Ｊアプリケーション実行部１５１にＢＤ−Ｊアプリケーションを起動させる。これにより、ＢＤ−Ｊアプリケーションはコンテンツレジューム再生を行う（ステップＳ７２）。
【０１１１】
コンテンツレジューム再生の機能があることを示す情報がない場合には（ステップＳ７１にてＮＯ）、再生制御部１５５は、ＢＤ−Ｊアプリケーション実行部１５１にＢＤ−Ｊアプリケーションを起動させることなく、簡易再生部１５２にレジューム再生を行わせる。簡易再生部１５２は、ローカルストレージ１３に保存された簡易レジューム情報を利用して、簡易レジューム再生を行う（ステップＳ７３）。
【０１１２】
応用例２の変形例として、コンテンツレジューム再生の機能があることを示す情報がない場合に、ユーザに対して、ＢＤ−Ｊアプリケーションを起動しない簡易レジューム再生を行うか、レジューム再生をせずにＢＤ−Ｊアプリケーションによって通常の再生を行うかを問うてもよい。
【０１１３】
図８は、この変形例のフロー図である。図８において、図７と同じ処理には同じステップ番号を付してある。ステップＳ７１にてローカルストレージ１３にコンテンツレジューム再生の機能があることを示す情報がない場合には（ステップＳ７１にてＮＯ）、ユーザに簡易レジューム再生を行うか否かを選択させる（ステップＳ８４）。
【０１１４】
このとき、再生制御部１５５は、表示制御部１５６を制御して、モニタ４３に、簡易レジューム再生を行うか否かの選択をするための表示をさせる。ユーザは、リモコンを操作することで、簡易レジューム再生を行うか否かの選択操作を行うことができる。この選択操作の入力は、ユーザ操作受付部１５７にて受信されて、再生制御部１５５に出力される。このとき、ユーザ操作受付部１５７は、本発明の選択受付部として機能する。
【０１１５】
ユーザによって簡易レジューム再生が選択されると（ステップＳ８４にてＹＥＳ）、再生制御部１５５は、簡易再生部１５２に簡易レジューム再生を行わせる（ステップＳ７３）。ユーザによって通常再生が選択されると（ステップＳ８４にてＮＯ）、再生制御部１５５は、ＢＤ−Ｊアプリケーション実行部１５１にＢＤ−Ｊアプリケーションを起動させる。この場合には、ＢＤ−Ｊアプリケーションにはコンテンツレジューム再生の機能がないので、通常の再生が行われる（ステップＳ８５）。
【０１１６】
以上のように、応用例２によれば、ＢＤ−Ｊアプリケーションがコンテンツレジューム再生の機能を有する場合には、コンテンツレジューム再生を行なうことができるとともに、ＢＤ−Ｊアプリケーションがコンテンツレジューム再生の機能を有しない場合には、簡易レジューム再生を行なうことができるので、ユーザは、ＢＤ−ＲＯＭ１０がコンテンツレジューム再生の機能を有しているか否かを意識することなく、途中で再生を中止して、再開時には停止箇所からレジューム再生をでき、このときに、ＢＤ−ＲＯＭ１０がコンテンツレジューム再生の機能を有していれば、ＢＤ−Ｊアプリケーションによる再生が可能になり、ＢＤ−Ｊアプリケーションの機能を犠牲にすることがない。
【０１１７】
（応用例３：レジューム再生の方式をユーザに選択させる例）
応用例１及び応用例２では、ＢＤ−Ｊアプリケーションがコンテンツレジューム再生の機能を有する場合には自動的にＢＤ−Ｊアプリケーションを起動させてコンテンツレジューム再生を行った。応用例３では、ＢＤ−Ｊアプリケーションがコンテンツレジューム再生の機能を有する場合にも、ユーザが簡易レジューム再生やＢＤ−Ｊアプリケーションを起動するがコンテンツレジューム再生を行なわない通常再生を選択できるようにする。
【０１１８】
図９は、応用例３による再生再開時のフロー図である。再生制御部１５５は、ＢＤ−ＲＯＭ１０が装填された状態でユーザ操作受付部１５７より再生の指示を受けると、ローカルストレージ１３を参照して、そのＢＤ−ＲＯＭ１０にコンテンツレジューム再生の機能があるか否かを判断する（ステップＳ９１）。そして、再生制御部１５５は、表示制御部１５６を制御して、モニタ４３に、レジューム再生の方式を選択するための表示をさせることで、レジューム再生の方式をユーザに選択させる（ステップＳ９２）。
【０１１９】
ユーザは、リモコン４５を操作することで、いずれかの方式のレジューム再生を選択する選択操作を行うことができる。この選択操作の入力は、ユーザ操作受付部１５７にて受信されて、再生制御部１５５に出力される。このとき、ユーザ操作受付部１５７は、本発明の選択受付部として機能する。
【０１２０】
ステップＳ９２においてレジューム再生の方式をユーザに選択される際に、ステップＳ９１においてそのＢＤ−ＲＯＭ１０にコンテンツレジューム再生の機能があると判断されている場合は、コンテンツレジューム再生を含み、さらに簡易レジューム再生、通常再生（レジューム再生なし）を含むレジューム再生の方式を選択可能にユーザに提示して、それらのいずれかを選択させる。
【０１２１】
図１０は、この場合の選択画面の表示例である。ユーザは、この選択画面において、コンテンツレジューム再生ボタン、簡易レジューム再生ボタンか、通常再生ボタンのいずれかを指示することで、レジューム再生の方式を選択することができる。
【０１２２】
一方、ステップＳ９２においてレジューム再生の方式をユーザに選択される際に、ステップＳ９１においてそのＢＤ−ＲＯＭ１０にコンテンツレジューム再生の機能がないと判断されている場合は、コンテンツレジューム再生を除くレジューム再生の方式、すなわち簡易レジューム再生か、通常再生（レジューム再生なし）かを選択可能にユーザに提示して、それらのいずれかを選択させる。
【０１２３】
図１１は、この場合の選択画面の表示例である。この選択画面では、コンテンツレジューム再生、簡易レジューム再生、及び通常再生のボタンが表示されるが、コンテンツレジューム再生は選択できない。具体的には、コンテンツレジューム再生ボタンにカーソルが移動しないようにしてもよいし、コンテンツレジューム再生ボタンが指示されたときに、コンテンツレジューム再生ができない旨の警告を表示してもよい。
【０１２４】
ステップＳ９２にてユーザがコンテンツレジューム再生を選択すると、再生制御部１５５は、ＢＤ−Ｊアプリケーション実行部１５１にＢＤ−Ｊアプリケーションを起動させる。ＢＤ−Ｊアプリケーションは、ローカルストレージ１３に保存されているコンテンツレジューム情報に基づいて、コンテンツレジューム再生を行う（ステップＳ９３）。
【０１２５】
ステップＳ９２にてユーザが簡易レジューム再生を選択すると、再生制御部１５５は、簡易再生部１５２に簡易レジューム再生を行わせる（ステップＳ９４）。この場合のように、コンテンツレジューム情報がローカルストレージ１３に保存されているにもかかわらず簡易レジューム再生を行う場合には、データ処理部１５３は、ローカルストレージ１３に保存されているコンテンツレジューム情報を消去する（ステップＳ９６）。このとき、データ処理部１５３は、本発明のレジューム情報消去部として機能する。
【０１２６】
このようにコンテンツレジューム情報がローカルストレージ１３に保存されているにもかかわらず簡易レジューム再生を行う場合にコンテンツレジューム情報を消去するのは、以下の理由による。すなわち、再生制御部１５５は、簡易レジューム再生が終了すると、通常通りＢＤ−Ｊアプリケーション実行部１５１にＢＤ−Ｊアプリケーションを起動させる。このときに、コンテンツレジューム情報が残っていると、ＢＤ−Ｊアプリケーションは、そのコンテンツレジューム情報に従って、コンテンツレジューム再生を行ってしまう。すなわち、連続して同じ位置からレジューム再生が行なわれることになる。よって、コンテンツレジューム情報がローカルストレージ１３に保存されているにもかかわらず簡易レジューム再生を行う場合には、ローカルストレージ１３からコンテンツレジューム情報を消去することで、このような連続したレジューム再生を回避する。
【０１２７】
ステップＳ９２にてユーザが通常再生を選択すると、再生制御部１５５は、データ処理部１５３に指示をして、ローカルストレージ１３に保存されたコンテンツレジューム情報を消去させた上で、ＢＤ−Ｊアプリケーション実行部１５１にＢＤ−Ｊアプリケーションを起動させる。ＢＤ−Ｊアプリケーション実行部１５１がＢＤ−Ｊアプリケーションを起動すると、このとき、すでにローカルストレージ１３のコンテンツレジューム情報は消去されているので、ＢＤ−Ｊアプリケーションは、通常通り、コンテンツレジューム再生を行わない再生を行う（ステップＳ９５）。
【０１２８】
以上のように、応用例３によっても応用例２と同様に、ＢＤ−Ｊアプリケーションがコンテンツレジューム再生の機能を有する場合には、コンテンツレジューム再生を行なうことができるとともに、ＢＤ−Ｊアプリケーションがコンテンツレジューム再生の機能を有しない場合には、簡易レジューム再生を行なうことができる。
【０１２９】
また、応用例３によれば、ＢＤ−Ｊアプリケーションがコンテンツレジューム再生の機能を有する場合にも、あえて簡易レジューム再生を選択することができる。簡易レジューム再生では、ＢＤ−Ｊアプリケーションを起動する必要がないので、前回の再生中止位置から速やかに再生を再開できるという利点がある。さらに、応用例３によれば、ＢＤ−Ｊアプリケーションがコンテンツレジューム再生の機能を有する場合にも、コンテンツレジューム再生を行なわない通常再生を選択することができる。
【０１３０】
なお、上記の応用例３の説明では、再生装置１００が簡易レジューム再生の機能を有することを前提として説明をした。以下では、再生装置１００が簡易レジューム再生の機能を有しない場合を応用例３の変形例として説明する。
【０１３１】
図１２は、この変形例のフロー図である。ＢＤ−ＲＯＭ１０が装填された状態でユーザ操作受付部１５７より再生の指示を受けると、ローカルストレージ１３を参照して、そのＢＤ−ＲＯＭ１０にコンテンツレジューム再生の機能があるか否かを判断する（ステップＳ１２１）。ローカルストレージ１３にコンテンツレジューム再生の機能があることを示す情報がない場合には（ステップＳ１２１にてＮＯ）、再生制御部１５５は、ＢＤ−Ｊアプリケーション実行部１５１にＢＤ−Ｊアプリケーションを起動させる。このとき、コンテンツレジューム情報がないので、ＢＤ−Ｊアプリケーションは、コンテンツレジューム再生を行なわない通常再生を行う（ステップＳ１２３）。
【０１３２】
ステップＳ１２１にてローカルストレージ１３にコンテンツレジューム再生の機能があることを示す情報がある場合には（ステップＳ１２１にてＹＥＳ）、ユーザにコンテンツレジュームを行うか否かを選択させる（ステップＳ１２２）。ユーザがコンテンツレジューム再生を行うことを選択しなかった場合には（ステップＳ１２２にてＮＯ）、再生制御部１５５は、データ処理部１５３にローカルストレージ１３に保存されているコンテンツレジューム情報を消去させた上で、ＢＤ−Ｊアプリケーション実行部１５１にＢＤ−Ｊアプリケーションを起動させる。
【０１３３】
ＢＤ−Ｊアプリケーション実行部１５１がＢＤ−Ｊアプリケーションを起動すると、このとき、すでにローカルストレージ１３のコンテンツレジューム情報は消去されているので、ＢＤ−Ｊアプリケーションは、コンテンツレジューム再生を行わない通常再生を行う（ステップＳ１２３）。
【０１３４】
ユーザがコンテンツレジューム再生を行うことを選択した場合には（ステップＳ１２２にてＹＥＳ）、再生制御部１５５は、ＢＤ−Ｊアプリケーション実行部１５１にＢＤ−Ｊアプリケーションを起動させる。このとき、ＢＤ−Ｊアプリケーションは、ローカルストレージ１３に保存されているコンテンツレジューム情報に基づいて、コンテンツレジューム再生を行なう（ステップＳ１２４）。
【０１３５】
このように、応用例３の変形例によれば、ＢＤ−Ｊアプリケーションがコンテンツレジューム再生の機能を有する場合にも、通常再生を選択することができる。
【０１３６】
以上のように、本発明の実施形態によれば、処理判断部１５４が、ＢＤ−Ｊアプリケーションがコンテンツレジューム再生の機能を有するか否かを判断するので、その判断の結果に基づいて、再生装置１００は最適な方式のレジューム再生を実行することができる。あるいは、処理判断部１５４が、ＢＤ−Ｊアプリケーションがコンテンツレジューム再生の機能を有するか否かを判断するので、ユーザは最適な方式のレジューム再生を選択して再生装置１００に実行させることができる。
【０１３７】
仮に再生装置１００が処理判断部１５４を有しておらず、ＢＤ−Ｊアプリケーションがコンテンツレジューム再生の機能を有しているか否かを判断しない場合において、コンテンツレジューム再生が可能なものについてコンテンツレジューム再生を行なおうとすれば、再生装置１００は、すべてのＢＤ−ＲＯＭについて、ＢＤ−Ｊアプリケーションを起動して再生を行なうことになる。そうすると、ＢＤ−Ｊアプリケーションがコンテンツレジューム再生の機能を有していない場合には、レジューム再生は行なわれないことになる。従って、すべてのＢＤ−ＲＯＭについて確実にレジューム再生を行なおうとすれば、すべてのＢＤ−ＲＯＭについてＢＤ−Ｊアプリケーションを起動せずに、簡易レジューム再生を行なわなければならない。
【０１３８】
これに対して、上記の実施の形態の再生装置１００では、装填されたＢＤ−ＲＯＭ１０について、コンテンツレジューム再生が可能であるか否かを判断するので、その判断結果に基づいて、コンテンツレジューム再生が可能である場合にはＢＤ−Ｊアプリケーションを起動し、不可能である場合には簡易レジューム再生を行なうことができる。なお、コンテンツレジューム再生が可能である場合にも、ユーザの指示に基づいて簡易レジューム再生を行なえるようにしてもよいことは、上記で説明したとおりである。
【０１３９】
なお、上記の実施の形態では、処理判断部１５４がデータ処理部１５３の処理を監視し、特に、再生中止イベントが発生した際にデータ処理部１５３がローカルストレージ１３に時間の情報を書き込むか否かによって、ＢＤ−Ｊアプリケーションがコンテンツレジューム情報をローカルストレージ１３に保存しており、即ちＢＤ−Ｊアプリケーションがコンテンツレジューム再生の機能を有するか否かを判断した。しかし、コンテンツレジューム再生の機能の有無を判断する方法はこれに限られない。
【０１４０】
例えば、ＢＤ−Ｊアプリケーションが、コンテンツレジューム再生を行なうことを再生装置１００に通知する機能を有していてもよい。この場合には、データ処理部１５３は、ＢＤ−Ｊアプリケーションのそのような通知機能に従って、ローカルストレージ１３に、当該ＢＤ−ＲＯＭ１０がコンテンツレジューム再生の機能を有することを示す情報を保存する。
【０１４１】
また、ＢＤ−ＲＯＭ１０に、コンテンツレジューム再生を行なうことを示す情報が記録されていてもよい。この場合には、ピックアップ１１が、再生制御部１５５の指示に従って、当該コンテンツレジューム再生を行なうことを示す情報をＢＤ−ＲＯＭ１０から読み出して、データ処理部１５３が、再生制御部１５５の指示に従って、当該コンテンツレジューム再生を行なうことを示す情報をローカルストレージ１３に保存する。また、ＢＤ−ＲＯＭ１０から読み出したコンテンツレジューム再生を行なうことを示す情報を処理判断部１５４に記憶しておき、必要なときにその情報を元にコンテンツレジューム再生を行ない、又はコンテンツレジューム再生が可能であることを認識してもよい。
【０１４２】
なお、上記の実施の形態では、処理判断部１５４は、再生中止イベントが発生したときに、データ処理部１５３がローカルストレージ１３に時間の情報を記録しているか否かを判断したが、処理判断部１５４は、再生中止イベントの有無に関らず、常に、データ処理部１５３の処理を監視して、データ処理部１５３がローカルストレージ１３に時間の情報を書き込む場合に、それをコンテンツレジューム情報であるとみなして、ローカルストレージ１３に当該ＢＤ−ＲＯＭ１０がコンテンツレジューム再生の機能を有することを示す情報を書き込むようにしてもよい。
【０１４３】
また、上記の実施の形態では、処理判断部１５４は、データ処理部１５３がローカルストレージ１３に時間の情報を書き込む場合に、それをコンテンツレジューム情報であるとみなして、ローカルストレージ１３に当該ＢＤ−ＲＯＭ１０がコンテンツレジューム再生の機能を有することを示す情報を書き込んだが、コンテンツレジューム再生の機能を有することを示す情報を再生装置に保存しておかなくてもよい。コンテンツレジューム再生の機能を有することを示す情報が再生装置に保存されていない場合には、再生開始前にローカルストレージ１３に時間の情報が保存されているか否かを調べ、時間の情報が保存されている場合には、それをコンテンツレジューム情報であるとみなして、コンテンツレジューム再生を行ない、又はコンテンツレジューム再生が可能であると認識してもよい。
【産業上の利用可能性】
【０１４４】
以上のように、本発明は、記録媒体再生装置は最適な方式のレジューム再生を実行することができ、或いは、ユーザは最適な方式のレジューム再生を選択して記録媒体再生装置に実行させることができるという効果を有し、ＢＤ−ＲＯＭなどの記録媒体に記録されたデータを再生する記録媒体再生装置等として有用である。
【符号の説明】
【０１４５】
１０  ＢＤ−ＲＯＭ
１１  ピックアップ
１２  サーボ
１３  ローカルストレージ
１４  ネットワークインターフェース
１５  信号処理部
１５１  ＢＤ−Ｊアプリケーション実行部
１５２  簡易再生部
１５３  データ処理部
１５４  処理判断部
１５５  再生制御部
１５６  表示制御部
１５７  ユーザ操作受付部
４２  リムーバブルメディア
４３  モニタ
４４  ＷＷＷサーバ
４５  リモコン
【図１】
2012181892.tif 000003
【図２】
2012181892.tif 000004
【図３】
2012181892.tif 000005
【図４】
2012181892.tif 000006
【図５】
2012181892.tif 000007
【図６】
2012181892.tif 000008
【図７】
2012181892.tif 000009
【図８】
2012181892.tif 000010
【図９】
2012181892.tif 000011
【図１０】
2012181892.tif 000012
【図１１】
2012181892.tif 000013
【図１２】
2012181892.tif 000014